(57)【要約】【課題】投写面からの反射光の色を検知するセンサーの劣化量に応じた処理をする。【解決手段】プロジェクターは、光を出力する光源と、映像信号の入力を受け付ける映像入力部と、映像入力部を介して入力された映像信号に応じて、光源から出力された光を変調する光変調器と、光変調器により変調された光を、外部の投写面に投写する投写光学系と、光源、光変調器、および投写光学系を収容する筐体と、筐体の内部に配置され、光源から投写光学系までの光路において、当該光路上の光の色を検知する第１センサーと、第１センサーの検知結果を用いて、光源から出力される光の色を調整する色調整部と、投写面からの反射光の色を検知する第２センサーと、色調整部により色が調整された光源から出力された光を用いた映像が投写されている状態において第２センサーが検知した色に基づいて得られる当該第２センサーの劣化量に応じた処理を行う処理部とを有する。【選択図】図１
2017038204.tif 000002
【特許請求の範囲】
【請求項１】
光を出力する光源と、
映像信号の入力を受け付ける映像入力部と、
前記映像入力部を介して入力された映像信号に応じて、前記光源から出力された光を変調する光変調器と、
前記光変調器により変調された光を、外部の投写面に投写する投写光学系と、
前記光源および前記光変調器を収容した筐体と、
前記筐体の内部に配置され、前記光源から前記投写光学系までの光路において、当該光路上の光の色を検知する第１センサーと、
前記第１センサーの検知結果を用いて、前記光源から出力される光の色を調整する色調整部と、
前記投写面からの反射光の色を検知する第２センサーと、
前記色調整部により色が調整された光源から出力された光を用いた映像が投写されている状態において前記第２センサーが検知した色に基づいて得られる当該第２センサーの劣化量に応じた処理を行う処理部と
を有するプロジェクター。
【請求項２】
前記処理部は、前記処理として、前記第２センサーの出力値に対して当該第２センサーの劣化の補償に用いられる劣化補償量を算出する
ことを特徴とする請求項１に記載のプロジェクター。
【請求項３】
前記処理部は、前記処理として、前記劣化補償量を用いて、前記第２センサーの出力値に対し当該第２センサーの劣化分を補償した補正値を算出する
ことを特徴とする請求項２に記載のプロジェクター。
【請求項４】
前記映像入力部を介して入力された映像信号に対して、前記処理部により算出された補正値を用いて色補正を行う色補正部を有し、
前記光変調器は、前記色補正部により補正された映像信号に応じて前記光源から出力された光を変調する
ことを特徴とする請求項３に記載のプロジェクター。
【請求項５】
前記処理部は、前記処理として、複数の色成分の各々について前記劣化補償量を算出する
ことを特徴とする請求項２ないし４のいずれか一項に記載のプロジェクター。
【請求項６】
前記処理部は、前記処理として、前記劣化量が許容範囲から外れた場合にその旨を報知する
ことを特徴とする請求項１ないし５のいずれか一項に記載のプロジェクター。
【請求項７】
前記光源から出力された光を複数の原色光に分離する光学系を有し、
前記第１センサーは、前記光学系により得られた複数の原色光の各々に対して設けられている
ことを特徴とする請求項１ないし６のいずれか一項に記載のプロジェクター。
【請求項８】
前記第１センサーは、カラーセンサーを含む
ことを特徴とする請求項１ないし７のいずれか一項に記載のプロジェクター。
【請求項９】
所定のテストパターンの映像を示すデータを記憶した記憶部を有し、
前記処理部は、前記処理として、前記テストパターンの映像が投写されている状態において前記第２センサーが検知した色に基づいて得られる当該第２センサーの劣化量に応じた処理を行う
ことを特徴とする請求項１ないし８のいずれか一項に記載のプロジェクター。
【請求項１０】
光源から光を出力するステップと、
映像信号の入力を受け付けるステップと、
前記入力された映像信号に応じて、光変調器が前記光源から出力された光を変調するステップと、
前記光変調器により変調された光を、投写光学系を介して外部の投写面に投写するステップと、
前記光源および前記光変調器を収容した筐体の内部に配置された第１センサーが、前記光源から前記投写光学系までの光路において、当該光路上の光の色を検知するステップと
前記第１センサーの検知結果を用いて、前記光源から出力される光の色を調整するステップと、
第２センサーが、前記投写面からの反射光の色を検知するステップと、
前記色が調整された光源から出力された光を用いた映像が投写されている状態において前記第２センサーが検知した色に基づいて得られる当該第２センサーの劣化量に応じた処理を行うステップと
を有するプロジェクターの制御方法。
【発明の詳細な説明】
【技術分野】
【０００１】
本発明は、投写面からの反射光の色を検知するセンサーを有するプロジェクターに関する。
【背景技術】
【０００２】
プロジェクターにおいては、投写面（例えばスクリーン）の色やプロジェクター自身の経年変化によって投写面に投写される映像のホワイトバランスが崩れてしまう問題が知られている。この問題を解決する一つの手段として、投写面からの反射光の色を検知するカラーセンサーをプロジェクターに設ける技術が知られている（例えば特許文献１）。
【先行技術文献】
【特許文献】
【０００３】
【特許文献１】特開２００７−３００１８７号公報
【発明の概要】
【発明が解決しようとする課題】
【０００４】
特許文献１に記載の技術においては、カラーセンサー自身が経年劣化してしまい、投写面の映像の色を正確に検知できなくなるという問題があった。
【０００５】
これに対し本発明は、プロジェクターに設けられたカラーセンサーの劣化量に応じた処理を行う技術を提供する。
【課題を解決するための手段】
【０００６】
本発明は、光を出力する光源と、映像信号の入力を受け付ける映像入力部と、前記映像入力部を介して入力された映像信号に応じて、前記光源から出力された光を変調する光変調器と、前記光変調器により変調された光を、外部の投写面に投写する投写光学系と、前記光源および前記光変調器を収容した筐体と、前記筐体の内部に配置され、前記光源から前記投写光学系までの光路において、当該光路上の光の色を検知する第１センサーと、前記第１センサーの検知結果を用いて、前記光源から出力される光の色を調整する色調整部と、前記投写面からの反射光の色を検知する第２センサーと、前記色調整部により色が調整された光源から出力された光を用いた映像が投写されている状態において前記第２センサーが検知した色に基づいて得られる当該第２センサーの劣化量に応じた処理を行う処理部とを有するプロジェクターを提供する。
このプロジェクターによれば、投写面からの反射光の色を検知する第２センサーの劣化量に応じた処理をすることができる。
【０００７】
前記処理部は、前記処理として、前記第２センサーの出力値に対して当該第２センサーの劣化の補償に用いられる劣化補償量を算出してもよい。
このプロジェクターによれば、第２センサーの劣化を定量的に評価することができる。
【０００８】
前記処理部は、前記処理として、前記劣化補償量を用いて、前記第２センサーの出力値に対し当該第２センサーの劣化分を補償した補正値を算出してもよい。
このプロジェクターによれば、劣化を考慮して第２センサーの出力値をより正確な値に補正することができる。
【０００９】
このプロジェクターは、前記映像入力部を介して入力された映像信号に対して、前記処理部により算出された補正値を用いて色補正を行う色補正部を有し、前記光変調器は、前記色補正部により補正された映像信号に応じて前記光源から出力された光を変調してもよい。
このプロジェクターによれば、第２センサーの劣化を考慮した色補正を行うことができる。
【００１０】
前記処理部は、前記処理として、複数の色成分の各々について前記劣化補償量を算出してもよい。
このプロジェクターによれば、複数の色成分で共通の劣化補償量を用いる場合と比較して、より高精度の補償をすることができる。
【００１１】
前記処理部は、前記処理として、前記劣化量が許容範囲から外れた場合にその旨を報知してもよい。
このプロジェクターによれば、第２センサーが劣化したことをユーザーに知らせることができる。
【００１２】
このプロジェクターは、前記光源から出力された光を複数の原色光に分離する光学系を有し、前記第１センサーは、前記光学系により得られた複数の原色光の各々に対して設けられていてもよい。
このプロジェクターによれば、分離前の光の色を検出する場合と比較してより高精度の色調整をすることができる。
【００１３】
前記第１センサーは、カラーセンサーを含んでもよい。
このプロジェクターによれば、第１センサーとして照度センサーを用いる場合と比較してより高精度の色調整をすることができる。
【００１４】
このプロジェクターは、所定のテストパターンの映像を示すデータを記憶した記憶部を有し、前記処理部は、前記処理として、前記テストパターンの映像が投写されている状態において前記第２センサーが検知した色に基づいて得られる当該第２センサーの劣化量に応じた処理を行ってもよい。
このプロジェクターによれば、調整したい色をテストパターンにより指定することができる。
【００１５】
また、本発明は、光源から光を出力するステップと、映像信号の入力を受け付けるステップと、前記入力された映像信号に応じて、光変調器が前記光源から出力された光を変調するステップと、前記光変調器により変調された光を、投写光学系を介して外部の投写面に投写するステップと、前記光源および前記光変調器を収容した筐体の内部に配置された第１センサーが、前記光源から前記投写光学系までの光路において、当該光路上の光の色を検知するステップと、前記第１センサーの検知結果を用いて、前記光源から出力される光の色を調整するステップと、第２センサーが、前記投写面からの反射光の色を検知するステップと、前記色が調整された光源から出力された光を用いた映像が投写されている状態において前記第２センサーが検知した色に基づいて得られる当該第２センサーの劣化量に応じた処理を行うステップとを有するプロジェクターの制御方法を提供する。
この制御方法によれば、投写面からの反射光の色を検知する第２センサーの劣化量に応じた処理をすることができる。
【図面の簡単な説明】
【００１６】
【図１】一実施形態に係るプロジェクター１の構成を例示する図。
【図２】センサー１４１の設置位置を例示する図。
【図３】プロジェクター１の一実施形態に係る動作を例示するフローチャート。
【発明を実施するための形態】
【００１７】
１．構成
図１は、一実施形態に係るプロジェクター１の構成を例示する図である。プロジェクター１は、投写された映像の色を検知して色補正を行う機能を有する。プロジェクター１は、映像入力部１１、色補正部１２、投写部１３、内部色調整部１４、記憶部１５、色測定部１６、劣化量算出部１７、および補正値算出部１８を有する。これらは筐体Ｈに収められている。
【００１８】
映像入力部１１は、外部から映像信号の入力を受け付ける。以下、映像入力部１１を介して入力された映像信号を「入力映像信号」といい、入力映像信号により示される映像を「入力映像」という。映像入力部１１は、例えば、所定の規格に従った入力端子（例えば、ＶＧＡ端子、ＵＳＢ端子、有線ＬＡＮインターフェース、Ｓ端子、ＲＣＡ端子、ＨＤＭＩ（High-Definition Multimedia Interface：登録商標）端子など）、およびＡ／Ｄコンバーターを含む（いずれも図示略）。
【００１９】
色補正部１２は、入力映像に対して色補正を行う。色補正部１２は、例えば、映像処理回路１２１を含む。色補正とは、入力映像の色を補正する処理をいう。色補正としては既知のもの（一例としてはガンマ補正）が用いられる。
【００２０】
投写部１３は、入力映像に応じた映像を、外部の投写面に投写する。投写面は、例えばスクリーンまたは壁面である。投写部１３は、光源１３１、光学系１３２、光変調器１３３、および投写光学系１３４を含む。光源１３１は、映像を投写するための光を出力する。光源１３１は、高圧水銀ランプ、ハロゲンランプ、もしくはメタルハライドランプなどのランプ、またはＬＥＤ（Light Emitting Diode）もしくはレーザーダイオードなどの固体光源、およびこれらの駆動回路を含む。この例で、光源１３１はいわゆる白色光を出力する。光学系１３２は、光源１３１から出力された光を光変調器１３３および投写光学系１３４まで導く光路を形成する。光学系１３２は、例えば、ミラー、レンズ、およびプリズムを含む。この例で、光学系１３２は、光源１３１から出力された白色光を、複数の色成分すなわち原色光（赤、緑、および青の光。以下それぞれ、Ｒ光、Ｇ光、およびＢ光という）に分離する。光変調器１３３は、光源１３１から出力された光を入力映像信号に応じて変調する。光変調器１３３は、例えば液晶パネルまたはＤＭＤ（Digital Mirror Device）、およびこれらの駆動回路を有する。この例で、光変調器１３３は、色成分毎に設けられている。Ｒ光、Ｇ光、およびＢ光を変調する光変調器１３３をそれぞれ区別するときは、光変調器１３３Ｒ、光変調器１３３Ｇ、および光変調器１３３Ｂという。投写光学系１３４は、レンズもしくはミラー、またはその両方を含み、光変調器１３３により変調された光を投写面に投写する。こうして投写面に形成される映像を「投写映像」という。
【００２１】
内部色調整部１４は、内部色調整を行う。内部色調整とは、光源１３１から出力される光の色を調整することをいう。内部色調整部１４は、センサー１４１（第１センサーの一例）からの出力信号を用いて内部色調整を行う。この例で、ＣＰＵ１００が内部色調整部１４として機能する。センサー１４１は、筐体Ｈの内部において、光源１３１から出力される光の色を検知（測定）するセンサーである。ＣＰＵ１００はプロジェクター１の各要素を制御するプロセッサーである。ＣＰＵ１００はセンサー１４１と協働することにより内部色調整部１４として機能する。この例で、センサー１４１は、Ｒ光、Ｇ光、およびＢ光の光路にそれぞれ設けられている。これらを区別するときは、センサー１４１Ｒ、センサー１４１Ｇ、およびセンサー１４１Ｂという。また、センサー１４１Ｒ、センサー１４１Ｇ、およびセンサー１４１Ｂはいずれも照度センサーである。センサー１４１Ｒは赤色の波長帯に、センサー１４１Ｇは緑色の波長帯に、センサー１４１Ｂは青色の波長帯に、それぞれ感度を有する。なお、センサー１４１は、筐体Ｈ内部における光の色を検知することから「内部センサー」ということができる。
【００２２】
記憶部１５は、色補正または内部色調整に用いられるテストパターンのデータを記憶する。記憶部１５は、不揮発性の記憶装置（例えばＲＯＭ）を含む。この例で、テストパターンは２種類の映像を含む。第１種類の映像は、内部色調整に用いられる映像である。この映像は、例えば画面全体が白色の映像を含む。第２種類の映像は、色補正に用いられるテストパターンである。この映像は、例えば画面全体の階調が、赤色、緑色、青色、および灰色に時系列で変化する映像を含む。
【００２３】
色測定部１６は、投写面に投写された映像の色を測定する。色測定部１６は、センサー１６１（第２センサーの一例）を含む。センサー１６１は、投写面から反射された光の色を検知するカラーセンサーである。カラーセンサーとは、複数の色成分に対して感度を有し、各色成分の光の強度に応じた信号を出力するセンサーをいう。この例で、センサー１６１は、Ｒ光、Ｇ光、およびＢ光の三原色光に対する感度を有するカラーセンサーである。なお、センサー１４１は、外部の投写面からの反射光の色を検知することから「外部センサー」ということができる。
【００２４】
劣化量算出部１７は、センサー１６１の劣化補償量を算出する。劣化補償量は、センサー１６１の劣化量すなわち劣化の指標の一例であり、劣化したセンサー１６１の検知結果を補償してより正確な検知結果を得るためのパラメーターである。この例では、ＣＰＵ１００が劣化量算出部１７として機能する。劣化補償量を算出することにより、劣化の程度を定量的に評価することができる。
【００２５】
補正値算出部１８は、算出された劣化補償量に基づいて、センサー１６１の劣化を補償した補正値を算出する。劣化したセンサー１６１の出力値（検知結果）は正確な値を示していない可能性がある。したがって、センサー１６１からの出力値をそのまま用いて色補正を行うと、補正が正確に行われない可能性がある。そこで、補正値算出部１８は、センサー１６１の劣化を考慮して出力値を補正する。補正された出力値を補正値という。この例では、ＣＰＵ１００が補正値算出部１８として機能する。補正値は、色補正部１２に出力される。
【００２６】
劣化量算出部１７および補正値算出部１８は、センサー１６１の劣化量に応じた処理を行う処理部の一例である。
【００２７】
筐体Ｈは、センサー１４１の劣化を抑制する観点から、例えば、紫外線の透過率が低い材料（例えば、金属や非透明の樹脂）で形成される。
【００２８】
図２は、センサー１４１の設置位置を例示する図である。この図では、筐体Ｈ内の光路との関係でセンサー１４１の設置位置を示している。光源１３１から出力された白色光は、ダイクロイックミラー１３２１によりＲ光およびＧ光＋Ｂ光に分離される。ダイクロイックミラー１３２１を透過したＧ光＋Ｂ光は、ダイクロイックミラー１３２２により、Ｇ光およびＢ光に分離される。Ｒ光、Ｇ光、およびＢ光は、ミラー１３２３〜１３２５により、それぞれ、光変調器１３３Ｒ、光変調器１３３Ｇ、および光変調器１３３Ｂに導かれる。この例で、光変調器１３３は、透過型の液晶パネルである。光変調器１３３Ｒ、光変調器１３３Ｇ、および光変調器１３３Ｂにより変調された光は、ダイクロイックプリズム１３２６にそれぞれ異なる方向から入射する。ダイクロイックプリズム１３２６において、Ｒ光およびＢ光は９０度に屈折し、Ｇ光は直進する。Ｒ光、Ｂ光、およびＧ光はダイクロイックプリズム１３２６によって合成され、投写光学系１３４を介してスクリーンＳｃに投写される。なお、ダイクロイックミラー１３２１、ダイクロイックミラー１３２２、ミラー１３２３〜１３２５、およびダイクロイックプリズム１３２６は、光学系１３２の具体例である。
【００２９】
センサー１４１Ｒ、センサー１４１Ｇ、およびセンサー１４１Ｂは、それぞれ、Ｒ光、Ｇ光、およびＢ光の光路上に設けられている。光はある程度の広がりを持って進行する。光路の一部がセンサー１４１によって遮られても、スクリーンＳｃに形成される画像にはほとんど影響がない。
【００３０】
２．動作
図３は、プロジェクター１の一実施形態に係る動作を例示するフローチャートである。このフローチャートは、色補正部１２において用いられる補正値を算出する動作を示している。図３のフローは、例えば、補正値の更新条件が満たされたことを契機として開始される。補正値の更新条件は、例えば、ユーザーにより補正値の更新が指示されたこと、または、前回の更新から所定時間が経過したことである。
【００３１】
ステップＳ１００において、内部色調整部１４は、内部色調整を行う。具体的には以下のとおりである。ＣＰＵ１００は、センサー１４１Ｒ、１４１Ｇ、および１４１Ｂの出力信号から、各センサーの出力値を取得する。ここでは、センサー１４１Ｒ、１４１Ｇ、および１４１Ｂの出力値を、出力値Ｒａ、Ｇａ、およびＢａという。投写映像のホワイトバランスを所望の範囲に保つため、各センサーの出力値の比率には適正範囲が定められている。例えば、Ｒａ／ＧａおよびＢａ／Ｇａのそれぞれに対し、適正範囲が定められている。ＣＰＵ１００は、Ｒａ／ＧａおよびＢａ／Ｇａの値が、適正範囲内にあるか判断する。両者が適正範囲内にあると判断された場合、ＣＰＵ１００は、色調整は行わない。両者の少なくとも一方が適正範囲から外れていると判断された場合、ＣＰＵ１００は色調整を行う。色調整は、出力値の比率が適正範囲に収まるように光源１３１を調整することをいう。例えば、光源１３１が複数の単色光源（Ｒ光源、Ｇ光源、およびＢ光源）を含む場合、ＣＰＵ１００は、Ｒａ／ＧａおよびＢａ／Ｇａの値に応じて各単色光源の発光強度を調整する。具体的には、Ｒａ／Ｇａが適正範囲から上側に外れている場合、ＣＰＵ１００は、Ｒ光源の発光強度を減少させるように、光源１３１を調整する。あるいは、光源１３１が白色光源を含み、原色に分離後にフィルターにより強度を調整している場合、ＣＰＵ１００は、Ｒａ／ＧａおよびＢａ／Ｇａの値に応じて各フィルターの透過率を調整する。
【００３２】
ステップＳ１１０において、色測定部１６は、劣化補償量を算出するため、投写映像の色を測定する。具体的には以下のとおりである。ＣＰＵ１００は、記憶部１５に記憶されているデータにより示されるテストパターンを投写するよう、投写部１３を制御する。このテストパターンは、例えば、全面が白色の画像である。ＣＰＵ１００は、テストパターンが投写された状態で、センサー１６１の出力信号から、センサーの出力値を取得する。センサー１６１は、Ｒ光、Ｇ光、およびＢ光に相当する波長帯に感度を有し、波長帯毎に検知結果を示す信号を出力する。このとき得られるＲ光、Ｇ光、およびＢ光に相当する出力値を、それぞれ、出力値Ｒ１、Ｇ１、およびＢ１という。
【００３３】
ステップＳ１２０において、劣化量算出部１７は、劣化補償量を算出する。この例で、複数の色成分について、具体的には、Ｇ成分を基準としてＲ成分およびＢ成分の劣化補償量が算出される。プロジェクター１の使用開始時点における投写面に理想的な白色画像が投写されている状態でのセンサー１６１の出力値を、基準値Ｒ０、Ｇ０、およびＢ０という。基準値Ｒ０、Ｇ０、およびＢ０は、例えばプロジェクター１の工場において出荷前に測定され、記憶部１５に書き込まれている。
【００３４】
まずＲ成分について考える。センサー１６１の劣化がなければ、Ｒ成分とＧ成分の出力値の比は、次式（１）のとおり経時変化しないはずである。
【数１】
2017038204.tif 000003
【００３５】
しかし、センサー１６１の経時変化においてＲ光の感度変化とＧ光の感度変化が一様でなければ、式（１）は成り立たず、代わりに次式（２）が成立する。
【数２】
2017038204.tif 000004
ここで、αは、式（２）を成立させるための係数である。例えば、出力値Ｇが経時変化せず、出力値Ｒが２０％減少した場合（Ｒ１／Ｒ０＝０．８）、α＝１．２５である。係数αは、Ｒ成分の経時変化を補償する係数であるといえ、その意味において、αを劣化補償量という。式（２）をαについて解くと次式（３）のとおりである。
【数３】
2017038204.tif 000005
同様に、Ｂ成分について考えると劣化補償量βは次式（４）のとおりである。
【数４】
2017038204.tif 000006
ＣＰＵ１００は、基準値Ｒ０、Ｇ０、およびＢ０、出力値Ｒ１、Ｇ１、およびＢ１、並びに式（３）および（４）を用いて、劣化補償量αおよびβを算出する。
【００３６】
ステップＳ１３０において、色測定部１６は、色補正に用いる補正値を算出するため、投写映像の色を測定する。具体的には以下のとおりである。ＣＰＵ１００は、記憶部１５に記憶されているデータにより示されるテストパターンを投写するよう、投写部１３を制御する。このテストパターンは、例えば、全面が赤色の画像、全面が緑色の画像、全面が青色の画像、および全面が灰色の画像を含む。ＣＰＵ１００は、テストパターンが投写された状態で、センサー１６１の出力信号から、センサーの出力値を取得する。このとき得られるＲ光、Ｇ光、およびＢ光に相当する出力値を、それぞれ、出力値Ｒ２、Ｇ２、およびＢ２という。
【００３７】
センサー１６１が劣化している場合、出力値Ｒ２、Ｇ２、およびＢ２は、実際の投写映像の状態とは異なる状態を示している。例えば、出力値Ｇが経時変化せず、出力値Ｒが２０％減少した場合、出力値Ｒ２により示されるＲ成分は正確ではなく、実際の投写映像よりも弱い。ＣＰＵ１００は、次式（５）により、センサー１６１の劣化を考慮した出力の推定値Ｒ２ｅ、Ｇ２ｅ、およびＢ２ｅを算出する。
【数５】
2017038204.tif 000007
【００３８】
ステップＳ１４０において、補正値算出部１８は、補正値を算出する。この補正値は、色補正部１２における色補正で用いられるパラメーターである。ＣＰＵ１００は、出力の推定値（例えば上述の推定値Ｒ２ｅ、Ｇ２ｅ、およびＢ２ｅ）を用いて補正値を算出する。
【００３９】
ステップＳ１５０において、補正値算出部１８は、色補正部１２に対して補正値を設定する。具体的には、ＣＰＵ１００は、得られた補正値を映像処理回路１２１のレジスター（図示略）に書き込む。
【００４０】
ステップＳ１６０において、色補正部１２は、設定された補正値を用いて色補正を行う。
【００４１】
センサー１６１においては、受光面が筐体Ｈの外部に露出している。一般にカラーセンサーは長時間紫外線を受けると波長毎の感度（分光感度）が劣化してしまうという問題がある。例えば特許文献１においては紫外線によるカラーセンサーの劣化は考慮されておらず、カラーセンサーが劣化して測定精度が低下しても対処できないという問題があった。これに対しプロジェクター１によれば、センサー１６１の劣化を自動的に補償することができる。
【００４２】
３．変形例
本発明は上述の実施形態に限定されるものではなく、種々の変形実施が可能である。以下、変形例をいくつか説明する。以下の変形例のうち２つ以上のものが組み合わせて用いられてもよい。
【００４３】
劣化補償量の計算方法は実施形態で例示したものに限定されない。例えば、ＣＰＵ１００は、センサー１６１からの出力値をｘｙＹ表色系に変換し、基準値Ｒ０、Ｇ０、およびＢ０に相当するｘ座標およびｙ座標との差分ΔｘおよびΔｙを劣化補償量として用いてもよい。この場合、ＣＰＵ１００は、各テストパターンが投写されているときのセンサー１６１の出力値をｘｙＹ表色系に変換する。この出力値をｘｙＹ表色系においてΔｘおよびΔｙに相当する量だけ平行移動させると、出力値を補償（正確な出力値を推定）することができる。出力値を補償した後は、ＣＰＵ１００は、ｘｙＹ表色系のまま補正値を算出してもよいし、ＲＧＢ表色系に戻してから補正値を算出してもよい。
【００４４】
劣化補償量が大きくなりすぎると補償の精度が低下する。したがって、ＣＰＵ１００は、劣化補償量があらかじめ決められた許容範囲を越えた場合、ユーザーにその旨を報知してもよい。この報知を受けたユーザーは、例えばセンサー１６１を新品に交換するなどの対応を取ることができる。この報知は、視覚（例えば投写映像におけるメッセージの表示、または筐体Ｈに設けられたＬＥＤインジケーター（図示略）の点灯）または聴覚（例えばビープ音）を介して行われる。なお、ＣＰＵ１００は、劣化補償量を用いた出力値の補正を行わず、劣化補償量が許容範囲を越えたことの報知だけを行ってもよい。
【００４５】
センサー１６１の劣化量すなわち劣化の指標は劣化補償量に限定されない。劣化の程度を示すものであればどのような量が用いられてもよい。また、劣化補償量は色成分毎に算出されず、複数の色成分で共通の劣化補償量が用いられてもよい。
【００４６】
センサー１４１の設置位置は図２で例示したものに限定されない。筐体Ｈ内において光源１３１から出力される光の色を測定できるのであれば、どこに設置されてもよい。例えば、ビームスプリッターにより光束を一部取り出し、取り出した光束の光路上にセンサー１４１を設置してもよい。このビームスプリッターは可動式であり、内部色調整を行うときにのみ光束を取り出す位置に移動し、色調整を行わないときには光源１３１からの光束を遮らない位置に移動してもよい。
【００４７】
センサー１４１は照度センサーに限定されない。例えば、センサー１４１はカラーセンサーであってもよい。３つの照度センサーに代えて３つのカラーセンサーを用いることにより、加法混色のベクトル演算を行うことができ、より高精度の色補正を行うことができる。なお、カラーセンサーが用いられる場合、白色光を３つの原色光に分離した後にセンサー１４１を３つ配置するのではなく、３つの原色光に分離する前の白色光の色を検知する位置に１つのセンサー１４１が配置されてもよい。
【００４８】
ステップＳ１１０において投写されるテストパターンは、実施形態で例示したものに限定されない。実施形態ではホワイトバランスを調整するため画面全体が白色の画像を表示したが、調整の対象となる色に応じて、テストパターンは、画面全体が白色以外の色となる映像であってもよい。また、ここで投写されるテストパターンは、記憶部１５に記憶されているものに限定されず、入力映像信号により示される映像であってもよい。また、記憶部１５は、複数セットのテストパターンのデータを記憶していてもよい。各セットは、例えばそれぞれ異なる利用シーンに応じた色バランスに調整されたものであってもよい。
【００４９】
プロジェクター１のハードウェア構成は実施形態で例示したものに限定されない。例えば、劣化量算出部１７および補正値算出部１８は、それぞれ異なるプロセッサーとして実装されてもよい。また、例えば投写光学系１３４等、一部の要素は筐体Ｈに収容されず筐体Ｈに対し外付けされる構造を有していてもよい。
【符号の説明】
【００５０】
１…プロジェクター、１１…映像入力部、１２…色補正部、１３…投写部、１４…内部色調整部、１５…記憶部、１６…色測定部、１７…劣化量算出部、１８…補正値算出部、１００…ＣＰＵ、１２１…映像処理回路、１３１…光源、１３２…光学系、１３３…光変調器、１３４…投写光学系、１４１…センサー、１６１…センサー、１３２１…ダイクロイックミラー、１３２２…ダイクロイックミラー、１３２３…ミラー、１３２４…ミラー、１３２５…ミラー、１３２６…ダイクロイックプリズム
【図１】
2017038204.tif 000008
【図２】
2017038204.tif 000009
【図３】
2017038204.tif 000010